(57)【特許請求の範囲】
【請求項１】
送信エラー情報の計測方法であって、
物理ダウンリンク制御チャネル（ＰＤＣＣＨ）を介して、端末に送信制御情報を送信するステップと、
前記送信制御情報が、前記端末によって正確に受信されていないことを決定するステップと、
前記ＰＤＣＣＨの送信エラー情報を取得するステップと、
を含み、
前記ＰＤＣＣＨを介して、前記端末に前記送信制御情報を送信する前記ステップは、
前記ＰＤＣＣＨを介して端末にアップリンク・スケジューリング・グラント情報を送信するステップを含み、
前記送信制御情報が、前記端末によって正確に受信されていないことを決定する前記ステップは、
物理アップリンク共有チャネル（ＰＵＳＣＨ）の誤り巡回冗長検査（ＣＲＣ）が検出されるとともに、メディアアクセス制御論理チャネル識別子（ＭＡＣ・ＬＣＩＤ）が予測されたメディアアクセス制御論理チャネル識別子を満たさないとき、前記ＰＤＣＣＨの送信は誤りであると決定するステップを含む、送信エラー情報の計測方法。
【請求項２】
前記ＰＤＣＣＨの前記送信エラー情報を取得する前記ステップは、
前記ＰＤＣＣＨのエラーデータブロックの数を１ずつ増加するステップと、
前記ＰＤＣＣＨのエラーデータブロックの数に基づいて、前記ＰＤＣＣＨのブロックエラー比率（ＢＬＥＲ）を更新するステップと、
を含む、請求項１に記載の方法。
【請求項３】
送信エラー情報の計測方法であって、
物理ハイブリッド自動再送要求指示チャネル（ＰＨＩＣＨ）を介して、端末に送信指示情報を送信するステップと、
前記送信指示情報が、前記端末によって正確に受信されていないことを決定するステップと、
前記ＰＨＩＣＨの送信エラー情報を取得するステップと、
を含み、
前記ＰＨＩＣＨを介して前記端末に前記送信指示情報を送信する前記ステップは、前記ＰＨＩＣＨを介して前記端末に否定応答（ＮＡＣＫ）メッセージを送信するステップを含み、
前記送信指示情報が、前記端末によって正確に受信されていないということを決定する前記ステップは、物理アップリンク共有チャネル（ＰＵＳＣＨ）の誤り巡回冗長検査（ＣＲＣ）が検出され、かつ、メディアアクセス制御論理チャネル識別子（ＭＡＣ・ＬＣＩＤ）が予測されたＭＡＣ・ＬＣＩＤを満たさないとき、前記ＰＨＩＣＨの送信は誤りであると決定するステップを含む方法。
【請求項４】
ネットワーク装置であって、
物理ダウンリンク制御チャネル（ＰＤＣＣＨ）を介して、端末に送信制御情報を送信するように構成される送信ユニットと、
前記送信制御情報が、前記端末によって正確に受信されていないということを決定するとともに、前記ＰＤＣＣＨの送信エラー情報を取得するように構成される計測ユニットと、を含み、
前記送信ユニットは、具体的には、前記ＰＤＣＣＨを介して前記端末にアップリンク・スケジューリング・グラント情報を送信するように構成され、
前記計測ユニットは、具体的には、物理アップリンク共有チャネル（ＰＵＳＣＨ）の誤り巡回冗長検査（ＣＲＣ）が検出されるとともに、メディアアクセス制御論理チャネル識別子（ＭＡＣ・ＬＣＩＤ）が予測されたＭＡＣ・ＬＣＩＤを満たさないとき、前記ＰＤＣＣＨの送信は誤りであるということを決定するように構成される、ネットワーク装置。
【請求項５】
前記計測ユニットは、具体的には、前記送信制御情報が、前記端末によって正確に受信されていないということを決定し、かつ、前記ＰＤＣＣＨのエラーデータブロックの数を１ずつ増加し、かつ、前記ＰＤＣＣＨのエラーデータブロックの数に基づいて、前記ＰＤＣＣＨのブロックエラー比率（ＢＬＥＲ）を更新するように構成される、請求項４に記載の、ネットワーク装置。
【請求項６】
前記ネットワーク装置は、具体的にはｅＮｏｄｅＢである、請求項４又は５に記載のネットワーク装置。
【請求項７】
物理ハイブリッド自動再送要求指示チャネル（ＰＨＩＣＨ）を介して、端末に送信指示情報を送信するように構成される送信ユニットと、
前記送信指示情報が、前記端末によって正確に受信されていないということを決定し、かつ、前記ＰＨＩＣＨの送信エラー情報を取得するように構成される計測ユニットと、
を含み、
前記送信ユニットは、具体的には、前記ＰＨＩＣＨを介して前記端末に否定応答（ＮＡＣＫ）メッセージを送信するように構成され、
前記計測ユニットは、具体的には、物理アップリンク共有チャネル（ＰＵＳＣＨ）の誤り巡回冗長検査（ＣＲＣ）が検出されるとともに、メディアアクセス制御論理チャネル識別子（ＭＡＣ・ＬＣＩＤ）が予測されたＭＡＣ・ＬＣＩＤを満たさないとき、前記ＰＨＩＣＨの送信は誤りであることを決定するように構成されるｅＮｏｄｅＢ。
【請求項８】
前記計測ユニットは、具体的には、前記送信指示情報が、前記端末によって正確に受信されていないということを決定し、かつ、前記ＰＨＩＣＨのエラービットの数を１ずつ増加し、かつ、前記ＰＨＩＣＨのエラービットの数に基づいて前記ＰＨＩＣＨのＢＥＲを更新するように構成される、請求項７に記載のｅＮｏｄｅＢ。
【請求項９】
請求項１〜３のいずれか一項の前記方法を、コンピュータに実行させるプログラム。
【発明の詳細な説明】
【技術分野】
【０００１】
本発明は、無線通信技術の分野に関連し、特に、送信エラー情報の計測方法及び装置に関する。
【０００２】
本願は、２０１１年２月２８日に出願された発明の名称を“送信エラー情報の計測方法及びネットワーク装置”とする中国特許出願第２０１１１００４７８２４．０号に基づく優先権を主張するとともに、参照により、その全体がここに組み込まれる。
【背景技術】
【０００３】
無線アクセス技術の進歩を以ってしても、現在の携帯通信端末システムは、新しいサービスの要求の中には満たすことは出来ないものがある。
【０００４】
一方、第３世代（３Ｇ、３ｒｄ−ｇｅｎｅｒａｔｉｏｎ）携帯通信技術と第４世代（４Ｇ、４ｔｈ−ｇｅｎｅｒａｔｉｏｎ）携帯通信技術の携帯通信システム間の重大な技術的不一致を解決するために、第３世代パートナーシッププロジェクト（３ＧＰＰ、３ｒｄ  Ｇｅｎｅｒａｔｉｏｎ  Ｐａｒｔｎｅｒｓｈｉｐ  Ｐｒｏｊｅｃｔ）組織は、ＬＴＥ（Ｌｏｎｇ  Ｔｅｒｍ  Ｅｖｏｌｕｔｉｏｎ）技術の標準化を開始するとともに、既存の３Ｇ周波数帯域に新技術のシリーズを採用することによる、スペクトル効率及びシステムの通信速度の改善を行っている。
【０００５】
物理ダウンリンク制御チャネル（ＰＤＣＣＨ，Ｐｈｙｓｉｃａｌ  Ｄｏｗｎｌｉｎｋ  Ｃｏｎｔｒｏｌ  Ｃｈａｎｎｅｌ）と物理ハイブリッド自動再送要求指示チャネル（ＰＨＩＣＨ，Ｐｈｙｓｉｃａｌ  Ｈｙｂｒｉｄ  ａｕｔｏｍａｔｉｃ  ｒｅｐｅａｔ  ｒｅｑｕｅｓｔ  Ｉｎｄｉｃａｔｏｒ  Ｃｈａｎｎｅｌ）の両者は、ＬＴＥにおけるダウンリンク物理制御チャネルに属しており、前記ＰＤＣＣＨは、例えば、アップリンク・スケジューリング・グラント（ｕｐｌｉｎｋ  ｓｃｈｅｄｕｌｉｎｇ  ｇｒａｎｔ）やダウンリンク・スケジューリング・アロケーション（ｄｏｗｎｌｉｎｋ  ｓｃｈｅｄｕｌｉｎｇ  ａｌｌｏｃａｔｉｏｎ）のような制御情報の送信に用いられ、かつ、前記ＰＨＩＣＨは応答（ＡＣＫ，Ａｃｋｎｏｗｌｅｄｇｍｅｎｔ）情報又はアップリンクデータの否定応答（ＮＡＣＫ，Ｎｅｇａｔｉｖｅ  Ａｃｋｎｏｗｌｅｄｇｅｍｅｎｔ）情報の送信に用いられる。
【０００６】
従来技術の研究及び実施において、ＰＤＣＣＨ及びＰＨＩＣＨのどちらも、ハイブリッド自動再送要求（ＨＡＲＱ，Ｈｙｂｒｉｄ  Ａｕｔｏｍａｔｉｃ  Ｒｅｐｅａｔ  Ｒｅｑｕｅｓｔ）過程を経ることが出来ず、そのため、ｅＮＢはＰＤＣＣＨ及びＰＨＩＣＨの送信エラー情報を直接的に取得出来ず、ＰＤＣＣＨ及びＰＨＩＣＨの受信ステータスのタイムリーな獲得の助けとならず、かつ、ＰＤＣＣＨ及びＰＨＩＣＨの受信能力の改善の助けとならないことを本発明の発明者は発見した。
【発明の概要】
【発明が解決しようとする課題】
【０００７】
本発明の態様は、ＰＤＣＣＨ及びＰＨＩＣＨの受信ステータスをタイムリーに獲得するために、送信エラー情報を計測することができる、送信エラー情報の計測方法及びネットワーク装置を提供する。
【０００８】
本発明の態様は、以下の技術的解決策を介して、具体的に実施することができる。
【課題を解決するための手段】
【０００９】
一態様において、送信エラー情報を計測する方法が提供され、前記方法は、物理ダウンリンク制御チャネル（ＰＤＣＣＨ）を介して、端末に送信制御情報を送信するステップと、前記送信制御情報が、前記端末によって正確に受信されていないことを決定するとともに、前記ＰＤＣＣＨの送信エラー情報を取得するステップとを含む。
【００１０】
別の態様において、送信エラー情報を計測する方法がさらに提供され、前記方法は、物理ハイブリッド自動再送要求指示チャネル（ＰＨＩＣＨ）を介して、端末に送信指示情報を送信するステップと、前記送信指示情報が、前記端末によって正確に受信されていないということを決定するとともに、前記ＰＨＩＣＨの送信エラー情報を取得するステップとを含む。
【００１１】
別の態様において、ネットワーク装置が提供され、前記ネットワーク装置は、物理ダウンリンク制御チャネル（ＰＤＣＣＨ）を介して、端末に送信制御情報を送信するように構成される送信ユニットと、前記送信制御情報が前記端末によって正確に受信されていないということを決定するとともに、前記ＰＤＣＣＨの送信エラー情報を取得するように構成される計測ユニットを含む。
【００１２】
別の態様において、ネットワーク装置がさらに提供され、前記ネットワーク装置は、物理ハイブリッド自動再送要求指示チャネル（ＰＨＩＣＨ）を介して、端末に送信指示情報を送信するように構成される送信ユニットと、前記送信指示情報が、前記端末によって正確に受信されていないということを決定するとともに、前記ＰＨＩＣＨの送信エラー情報を取得するように構成される計測ユニットとを含む。
【００１３】
本発明の態様は、計測を実行するために、ＰＤＣＣＨの送信エラー情報又はＰＨＩＣＨの送信エラー情報を取得することによって、前記ＰＤＣＣＨ又は前記ＰＨＩＣＨの受信能力を検出かつ監視する。それによって、ＰＤＣＣＨ又はＰＨＩＣＨの受信状況がタイムリーに取得することが可能になり、続いてこれに基づいて、さらにＰＤＣＣＨ又はＰＨＩＣＨの受信能力を、効率的に改善することができる。
【図面の簡単な説明】
【００１４】
【図１】本発明の一態様に基づく、送信エラー情報の計測方法のフローチャートである。
【図２】本発明の一態様に基づく、送信エラー情報の計測方法の別のフローチャートである。
【図３】本発明の一態様に基づく、送信エラー情報の計測方法のさらに別のフローチャートである。
【図４】本発明の一態様に基づく、送信エラー情報の計測方法のさらに別のフローチャートである。
【図５ａ】本発明の一態様における、ネットワーク装置の構造的な概略図である。
【図５ｂ】本発明の一態様における、ネットワーク装置の別の構造的な概略図である。
【発明を実施するための形態】
【００１５】
本発明の目的、技術的解決策及び利点をより明確にするために、本発明によって提供される技術的解決策は、図面及び実施形態と併せて、以下のように、さらに詳細に説明される。
【００１６】
本発明の実施形態は、送信エラー情報の計測方法及びネットワーク装置を提供し、それぞれ以下のように詳細に説明される。
【００１７】
この実施形態は、本発明の方法の実施形態であり、かつ、ネットワーク装置、具体的には展開基地局又は他の送信局の視点で説明される。
【００１８】
送信エラー情報の計測方法は、
ＰＤＣＣＨを介して端末に送信制御情報を送信するステップかＰＨＩＣＨを介して前記端末に送信指示情報を送信するステップ、又は、
前記送信制御情報が前記端末によって正確に受信されていないことを決定するとともに前記ＰＤＣＣＨの送信エラー情報を取得するステップ、又は、
前記送信指示情報が、前記端末によって正確に受信されていないことを決定するとともに前記ＰＨＩＣＨの送信エラー情報を取得するステップを含む。
【００１９】
図１を参照すると、詳細な過程は以下のようである。
【００２０】
１０１：ＰＤＣＣＨを介して端末に送信制御情報を送信するステップ、又は、ＰＨＩＣＨを介して前記端末に送信指示情報を送信するステップ。
【００２１】
ここで、前記送信制御情報は、具体的には、アップリンク・スケジューリング・グラント情報又はダウンリンクリソース割り当て情報であってもよく、前記送信指示情報は、具体的には、ＮＡＣＫメッセージ又はＡＣＫメッセージであってもよい。
【００２２】
１０２：前記送信制御情報が前記端末によって正確に受信されていないことを決定するステップ、かつ、前記ＰＤＣＣＨの送信エラー情報を取得するステップ。
【００２３】
例えば、前記送信制御情報が前記端末によって正確に受信されていないことが決定されるとき、前記ＰＤＣＣＨのエラーデータブロックの数を１ずつ増加してもよく、かつ、前記ＰＤＣＣＨのブロックエラー比率（ＢＬＥＲ，Ｂｌｏｃｋ  Ｅｒｒｏｒ  Ｒａｔｅ）は、前記ＰＤＣＣＨのエラーデータブロックの数に基づいて更新されてもよく、前記ＢＬＥＲは、前記ＰＤＣＣＨのエラーデータブロックの数と、前記端末によって送信される前記ＰＤＣＣＨデータブロックの総数間の割合であってもよい。
【００２４】
ここで、前記ネットワーク装置は、異なる送信制御情報を計測する異なる方法を採用してもよく、詳細は以下のように提供される。
【００２５】
１）前記送信制御情報は、具体的には、アップリンク・スケジューリング・グラント情報である。
【００２６】
つまり、ステップ１０１は、具体的には、“前記ＰＤＣＣＨを介して前記端末にアップリンク・スケジューリング・グラント情報を送信するステップ”であるとき、ステップ１０２は、もし、前記アップリンク・スケジューリング・グラント情報が前記端末によって正確に受信されていない場合、前記端末は、物理アップリンク共有チャネル（ＰＵＳＣＨ，Ｐｈｙｓｉｃａｌ  Ｕｐｌｉｎｋ  Ｓｈａｒｅｄ  Ｃｈａｎｎｅｌ）においてデータを送信しておらず、かつその場合、前記ネットワーク装置は巡回冗長検査（ＣＲＣ，  Ｃｙｃｌｉｃ  Ｒｅｄｕｎｄａｎｃｙ  Ｃｈｅｃｋ）を検出する。従って、ＰＵＳＣＨ（ＰＵＳＣＨ，Ｐｈｙｓｉｃａｌ  Ｕｐｌｉｎｋ  Ｓｈａｒｅｄ  Ｃｈａｎｎｅｌ）のＣＲＣ（ＣＲＣ，Ｃｙｃｌｉｃ  Ｒｅｄｕｎｄａｎｃｙ  Ｃｈｅｃｋ）が誤りであるときの数と、メディアアクセス制御論理チャネル識別子（ＭＡＣ・ＬＣＩＤ、メディアアクセス制御）が予測されたＭＡＣ・ＬＣＩＤを満たさないときの数とを数えることによって、前記ＰＤＣＣＨのＢＬＥＲは計測される。詳細は以下のようであってもよい。
【００２７】
誤っているＰＵＳＣＨ・ＣＲＣが検出され、かつ、ＭＡＣ・ＬＣＩＤが予測されたＭＡＣ・ＬＣＩＤを満たさないとき、前記ＰＤＣＣＨの送信は誤りであるということを決定する。その場合、前記ネットワーク装置は、前記ＰＤＣＣＨの送信エラー情報を取得し、例えば前記ＰＤＣＣＨのエラーデータブロックの数は１ずつ増加してもよく、かつ、前記ＰＤＣＣＨのＢＬＥＲは前記ＰＤＣＣＨのエラーデータブロックの数に基づいて更新されてもよい。
【００２８】
注目すべきは、前記ネットワーク装置は、前記端末によって送信されるＭＡＣ・ＬＣＩＤの範囲を取得できるので、従って、前記ネットワーク装置は見積もることによって現在のＭＡＣ・ＬＣＩＤの値を取得することができることである。本発明の実施形態において、見積もることによって取得された現在のＭＡＣ・ＬＣＩＤは、予測されたＭＡＣ・ＬＣＩＤとして参照される。いわゆる“ＭＡＣ・ＬＣＩＤが予測されたＭＡＣ・ＬＣＩＤを満たしていない”とは、実際に取得されたＭＡＣ・ＬＣＩＤの値と、前記予測されたＭＡＣ・ＬＣＩＤの偏差が、実際のアプリケーション要求下で設定されたある値、例えばゼロのような値、よりも大きいことを意味している。ここで、前記端末によって送信されたＭＡＣ・ＬＣＩＤの範囲を前記ネットワーク装置が取得する具体的な方法においては、従来技術を参照されたく、ここでは省略する。
【００２９】
２）前記送信制御情報は具体的には、ダウンリンクリソース割り当て情報である。
【００３０】
つまり、ステップ１０１が具体的には、“ＰＤＣＣＨを介して、前記端末にダウンリンクリソース割り当て情報を送信するステップ”であるとき、ステップ１０２は、もしダウンリンクリソース割り当て情報が前記端末によって正確に受信されている場合、対応しているダウンリンクリソースとともに、物理ダウンリンク共有チャネル（ＰＤＳＣＨ，Ｐｈｙｓｉｃａｌ  Ｄｏｗｎｌｉｎｋ  Ｓｈａｒｅｄ  Ｃｈａｎｎｅｌ）を介して、ネットワークサイドの装置によって送信された前記データを、前記端末は受信し、かつ、もし前記ダウンリンクリソース割り当て情報が端末によって正確に受信されていない場合、前記ＰＤＳＣＨを介して前記ネットワークサイドの装置によって送信された前記データを、前記端末は受信しないが、不連続送信（ＤＴＸ、Ｄｉｓｃｏｎｔｉｎｕｏｕｓ  Ｔｒａｎｓｍｉｓｓｉｏｎ）情報を送信する。従って、前記ＰＤＣＣＨのＢＬＥＲは、前記端末によって返信されるＤＴＸ（ＤＴＸ、不連続送信）情報を数えることによって計測されてもよい。例えば、前記ＤＴＸ情報は、ＰＵＣＣＨ又はＰＵＳＣＨについて端末によって送信されてもよく、前記ＰＵＳＣＨを介して返信されるＤＴＸ情報は、信号に関連しているチャネルとして言及されてもよい。つまり、このステップは、具体的には以下のようであってよい。そのステップは、ＰＵＣＣＨ又はＰＵＳＣＨについて前記端末によって送信されたＤＴＸ情報を受信するステップ、及び、前記ＤＴＸ情報に基づいて前記ＰＤＣＣＨの送信は誤りであるということを決定するステップであってよい。ここでは、前記ネットワーク装置は、前記ＰＤＣＣＨの送信エラー情報を取得し、例えば、前記ＰＤＣＣＨのエラーデータブロックの数を１ずつ増加し、かつ、前記ＰＤＣＣＨのエラーデータブロックの数に基づいて前記ＰＤＣＣＨのＢＬＥＲは更新されてもよい。
【００３１】
１０３：前記送信指示情報が、前記端末によって正確に受信されていないということを決定するとともに、前記ＰＨＩＣＨの送信エラー情報を取得する。
【００３２】
例えば、前記送信指示情報が、前記端末によって正確に受信されていないということが決定されるとき、前記ＰＨＩＣＨのエラービットの数を１ずつ増加させてもよく、かつ、前記ＰＨＩＣＨのエラービットの数に基づいて前記ＰＨＩＣＨのビットエラー比率（ＢＥＲ、Ｂｉｔ  Ｅｒｒｏｒ  Ｒａｔｅ）は更新されてもよく、前記ＰＨＩＣＨのＢＥＲは、前記ＰＨＩＣＨのエラービットの数と、前記端末によって送信されるＰＨＩＣＨビットの総数間の比率に言及している。
【００３３】
ここで“前記送信指示情報が、前記端末によって正確に受信されていないということ”というのは、前記ネットワーク装置がＡＣＫを送信するが、前記端末はそれをＮＡＣＫとして間違える、又は、前記ネットワーク装置がＮＡＣＫを送信するが、前記端末はそれをＡＣＫとして間違えることであってもよい。前記受信された送信指示情報がＮＡＣＫであると決定するとき、前記端末は、対応しているリソースとともに前記物理アップリンク共有チャネル（ＰＵＳＣＨ，Ｐｈｙｓｉｃａｌ  Ｕｐｌｉｎｋ  Ｓｈａｒｅｄ  Ｃｈａｎｎｅｌ）を再送する。従って、本発明の実施形態において、“前記送信指示情報が、前記端末によって正確に受信されていないということ”は、ＮＡＣＫメッセージが前記端末によって正確に受信されていないことに言及しており、つまり、前記端末によってＡＣＫメッセージと間違えられるので、前記端末は対応しているリソースとともにＰＵＳＣＨ再送を行わない。つまり、ステップ１０１は具体的には、“ＰＨＩＣＨを介して前記端末にＮＡＣＫメッセージを送信すること”であり、ステップ１０３は、もし前記ＮＡＣＫメッセージが前記端末によって正確に受信されていない場合、前記端末はＰＵＳＣＨを介してデータを再送せず、かつここでは、前記ネットワーク装置は誤っているＰＵＳＣＨ・ＣＲＣを検出するはずであり、かつ、この時、前記ＭＡＣ・ＬＣＩＤは予測されたＭＡＣ・ＬＣＩＤを満たさない。従って、ＰＵＳＣＨ・ＣＲＣが誤りであるときの数と、ＭＡＣ・ＬＣＩＤが予測されたＭＡＣ・ＬＣＩＤを満たさないときの数とに基づいて、前記ＰＨＩＣＨの送信エラー情報は取得されてもよい。その詳細は以下のようであってもよく、誤ったＰＵＳＣＨ・ＣＲＣが検出され、かつ、前記ＭＡＣ・ＬＣＩＤが予測されたＭＡＣ・ＬＣＩを満たさないとき、前記ＰＨＩＣＨの送信は誤りであることを決定してもよい。その場合、前記ネットワーク装置は、前記ＰＨＩＣＨの送信エラー情報を取得してもよく、例えば、前記ＰＨＩＣＨのエラービットの数を１ずつ増加し、かつ、前記ＰＨＩＣＨのＢＥＲは前記ＰＨＩＣＨのエラービットの数に基づいて更新されてもよい。
【００３４】
上記の内容から、本発明の実施形態は、前記ＰＤＣＣＨの送信エラー情報又は前記ＰＨＩＣＨの送信エラー情報を計測することによって、ＰＤＣＣＨ又はＰＨＩＣＨの受信能力を検出かつ監視し、その結果、ＰＤＣＣＨ又はＰＨＩＣＨの受信状態をタイムリーに取得することができ、続いてこれに基づいて、さらにＰＤＣＣＨ又はＰＨＩＣＨの受信能力を、効率的に改善することができると認められる。例えば、ＢＬＥＲ又はＢＥＲが計測されるとき、ＰＤＣＣＨ又はＰＨＩＣＨの受信能力を改善するために、ＢＬＥＲ又はＢＥＲに基づいて、いくつかの動作がトリガ（ｔｒｉｇｇｅｒ）されてもよい。
【００３５】
本発明の実施形態において、ＰＤＣＣＨ又はＰＨＩＣＨのいずれか一方の前記受信能力は、チャネル情報（例えば、送信制御情報又は送信指示情報）の受信状態に基づいて、例えばｅＮｏｄｅＢサイドのような前記ネットワーク装置において計測され、その結果、全体のネットワークの能力を改善するために、前記ｅＮｏｄｅＢはそれぞれのチャネル（例えば、ＰＤＣＣＨ又はＰＨＩＣＨ）をタイムリーに調整することができると認められる。
【００３６】
上記実施形態に基づく方法は、一例を介して以下のように詳細に説明される。
【００３７】
この実施形態において一例は、具体的には、前記ネットワーク装置として、展開されたＮｏｄｅＢ（ｅＮｏｄｅＢ）を利用し、かつ、前記送信制御情報としてアップリンク・スケジューリング・グラント情報を利用することによって、提供される。図２を参照すると、詳細な過程は以下のようである。
【００３８】
２０１：ｅＮｏｄｅＢは、ＰＤＣＣＨを介して端末にアップリンク・スケジューリング・グラント情報を送信する。
【００３９】
２０２：前記アップリンク・スケジューリング・グラント情報を受信した後、前記端末は、端末個別サーチスペース（ＵＥ−ｓｐｅｃｉｆｉｃ  ｓｅａｒｃｈ  ｓｐａｃｅ）においてＰＤＣＣＨを検出してもよく、もし、前記ＰＤＣＣＨが正確だと検出される場合、前記アップリンク・スケジューリング・グラント情報は、前記端末によって正確に受信されていることを意味しており、かつ、その次にステップ２０３が実行され、一方、前記ＰＤＣＣＨが正確ではないと検出される場合、前記アップリンク・スケジューリング・グラント情報は、前記端末によって正確に受信されていないことを意味しており、かつ、その次にステップ２０４が実行される。
【００４０】
注目すべきは、前記端末は、ブラインド検出（ｂｌｉｎｄ  ｄｅｔｅｃｔｉｏｎ）を介して前記ＰＤＣＣＨを検出しており、つまり、前記端末は、それ自身（つまり、前記端末自身）に割り当てられているＰＤＣＣＨの具体的な周波数位置を取得することが出来ないので、それゆえに、前記端末はサーチスペースにおいて探索する必要があることである。もし、周波数位置が探索された場合、それは、ＰＤＣＣＨが前記端末に割り当てられていることを意味しており、かつ、もし周波数位置が探索されなかった場合、それは、前記端末に割り当てられているＰＤＣＣＨがないことを意味しており、前記サーチスペースは前記プロトコルにおいて定められた範囲を有しており、かつ、端末個別サーチスペース及び共通サーチスペースに分割されてもよい。詳細は、従来技術を参照されたく、ここでは省略する。
【００４１】
２０３：もし、アップリンク・スケジューリング・グラント情報が、前記端末によって正確に受信されている場合、前記端末はＰＵＳＣＨを送信し、かつ、前記ｅＮｏｄｅＢは対応しているリソースとともに前記ＰＵＳＣＨを正常に受信する。詳細は、従来技術を参照されたく、ここでは省略する。
【００４２】
２０４：もし、前記端末によって、アップリンク・スケジューリング・グラント情報が正確に受信されていない場合、前記端末は前記ＰＵＳＣＨを送信せず、ここでは、前記ｅＮｏｄｅＢは、前記端末に割り当てられているＰＵＳＣＨリソースとともに、ＣＲＣエラーを検出し、このときの前記ＭＡＣ・ＬＣＩＤは、前記予測されたＭＡＣ・ＬＣＩＤに等しくなく、従って、前記ｅＮｏｄｅＢは前記ＰＤＣＣＨの送信は誤りであるということを決定し、かつ、次にステップ２０５が実行される。
【００４３】
２０５：前記ｅＮｏｄｅＢは、前記ＰＤＣＣＨのエラーデータブロックの数を１ずつ増加し、かつ、前記ＰＤＣＣＨのエラーデータブロックの数に基づいて、前記ＰＤＣＣＨのＢＬＥＲを更新する。
【００４４】
上記の内容から、前記端末によってアップリンク・スケジューリング・グラント情報が正確に受信されていないとき、ＰＤＣＣＨのＢＬＥＲを計測することによって、本発明の実施形態は、前記ＰＤＣＣＨの受信能力を検出かつ監視し、その結果、前記ＰＤＣＣＨの受信状態はタイムリーに取得され、続いてこれに基づいて、さらに前記ＰＤＣＣＨの受信能力を、効率的に改善をすることができると認められる。例えば、前記ＰＤＣＣＨの能力等を改善するために、前記ＰＤＣＣＨのための出力制御が実行されてもよい。
【００４５】
前出の実施形態と異なって、この実施形態において、前記送信制御情報として具体的にダウンリンクスケジューリング割り当て情報を利用することによる一例が提供される。図３を参照すると、詳細な過程は以下のようである。
【００４６】
３０１：ｅＮｏｄｅＢは、ＰＤＣＣＨを介して端末にダウンリンクリソース割り当て情報を送信する。
【００４７】
３０２：ダウンリンクリソース割り当て情報を受信した後、前記端末は、端末個別サーチスペースにおいて前記ＰＤＣＣＨを検出する。もし、前記ＰＤＣＣＨが正確であると検出される場合、それは、ダウンリンクリソース割り当て情報が前記端末によって正確に受信されているということを意味しており、かつ、次にステップ３０３が実行され、一方、もし、前記ＰＤＣＣＨが正確でないと検出される場合、前記ダウンリンクリソース割り当て情報が前記端末によって正確に受信されていないことを意味しており、次にステップ３０４が実行される。
【００４８】
３０３：もし、ダウンリンクリソース割り当て情報が、端末によって正確に受信されているとき、前記端末は、前記ダウンリンクリソース割り当て情報に基づいて、対応するダウンリンクリソースを見出し、かつ、前記対応するダウンリンクリソースとともにＰＤＳＣＨを受信し、かつ、前記ＰＤＳＣＨの受信の具体的な状態に基づいて、ＰＵＣＣＨにおけるＡＣＫメッセージ又はＮＡＣＫメッセージをフィードバックし、つまり、もし前記ＰＤＳＣＨが正常に受信されている場合、前記ｅＮｏｄｅＢにＡＣＫメッセージをフィードバックし、かつ、もし前記ＰＤＳＣＨが正常に受信されていない場合、前記ｅＮｏｄｅＢにＮＡＣＫメッセージをフィードバックする。詳細については、従来技術を参照されたく、ここでは省略する。
【００４９】
３０４：もし、前記端末によって前記ダウンリンクリソース割り当て情報が正確に受信されていない場合、前記端末は、前記ＰＤＳＣＨを受信するよりもむしろ、ＰＵＣＣＨ又はＰＵＳＣＨについてＤＴＸ信号を送信し、かつ、次にステップ３０５が実行される。
【００５０】
３０５：前記ＤＴＸ信号を受信した後、前記ｅＮｏｄｅＢは、前記ＰＤＣＣＨの送信は誤りであるということを決定し、かつ、次にステップ３０６が実行される。
【００５１】
３０６：前記ｅＮｏｄｅＢは、前記ＰＤＣＣＨのエラーデータブロックの数を１ずつ増加し、かつ、前記ＰＤＣＣＨのエラーデータブロックの数に基づいて、前記ＰＤＣＣＨのＢＬＥＲを更新する。
【００５２】
上記の内容から、本発明の実施形態は、前記端末によってダウンリンクリソース割り当て情報が正確に受信されていないとき、ＰＤＣＣＨのＢＬＥＲを計測することによって、前記ＰＤＣＣＨの受信能力を検出かつ監視し、その結果、前記ＰＤＣＣＨの受信状態はタイムリーに取得され、続いてこれに基づいて、さらに前記ＰＤＣＣＨの受信能力を効率的に改善することができると認められる。
【００５３】
上記２つの実施形態と同様に、本発明の実施形態において、前記ネットワーク装置として具体的にｅＮｏｄｅＢを利用することによって実施例がさらに提供されるが、前記２つの実施形態と異なるのは、本発明の実施形態は、一例として具体的にＮＡＣＫメッセージである送信指示情報を利用することによって説明されていることである。
【００５４】
前記ＰＨＩＣＨを介してｅＮｏｄｅＢによって送信される前記ＮＡＣＫメッセージが、前記ＵＥによって正確に受信されていないとき、つまり、前記ＵＥが前記受信されたＮＡＣＫメッセージをＡＣＫメッセージとして間違えるとき、前記端末は、対応するリソースとともに前記ＰＵＳＣＨを再送せず、一方、前記ｅＮｏｄｅＢは前記ＰＵＳＣＨを再送する。その一方で、ＰＵＳＣＨ・ＣＲＣが誤りであるときの数と、前記ＭＡＣ・ＬＣＩＤが前記予測されたＭＡＣ・ＬＣＩＤと等しくないときの数とを数えることによって、前記ＰＨＩＣＨのＥＢＲは計測される。
【００５５】
４０１：ＰＵＳＣＨについて端末によって送信されるデータが、ｅＮｏｄｅＢ（２つ目の方法の実施形態を参照するとよい）によって正確に受信されていないとき、前記ｅＮｏｄｅＢはＰＨＩＣＨを介して前記端末にＮＡＣＫメッセージをフィードバックする。
【００５６】
４０２：前記端末は、前記ＮＡＣＫメッセージを受信し、かつ、もしＮＡＣＫメッセージが前記端末によって正確に受信されている場合、ステップ４０３が実行され、もし前記ＮＡＣＫメッセージが前記端末によって正確に受信されていない場合、ステップ４０４が実行される。
【００５７】
４０３：前記端末は、前記ＰＵＳＣＨを再送する。
【００５８】
４０４：前記端末は、前記ＰＵＳＣＨを再送せず、かつ、ここでｅＮｏｄｅＢは前記ＰＨＩＣＨの送信が誤りであることを決定し、かつ、次にステップ４０５が実行される。
【００５９】
例えば、ＮＡＣＫメッセージが受信するとき、なんらかの理由のために、前記端末はＮＡＣＫメッセージをＡＣＫメッセージと間違え、次に前記端末はＰＵＳＣＨを再送しない。その場合、前記ｅＮｏｄｅＢは、前記ＰＵＳＣＨの再送のために、端末に割り当てられているリソースにおいてＣＲＣエラーを検出し、かつ、このときの前記ＭＡＣ・ＬＣＩＤは、前記予測されたＭＡＣ・ＬＣＩＤに等しくなく、かつ、次にｅＮｏｄｅＢは前記ＰＨＩＣＨの送信は誤りであることを決定する。
【００６０】
ここで、前記端末がＰＵＳＣＨを再送する関連技術については、従来技術を参照されたく、ここでは省略する。
【００６１】
４０５：前記ｅＮｏｄｅＢは前記ＰＨＩＣＨのエラービットの数を１ずつ増加し、かつ、前記ＰＨＩＣＨのエラービットの数に基づいて、前記ＰＨＩＣＨのＢＥＲを更新する。
【００６２】
上記の内容から、本発明の実施形態は、前記ＮＡＣＫメッセージが前記端末によって正確に受信されていないとき、前記ＰＨＩＣＨの送信エラー情報を計測することによって、前記ＰＨＩＣＨの受信能力を検出かつ監視し、その結果、前記ＰＨＩＣＨの受信状態はタイムリーに取得され、続いてこれに基づいて、さらに前記ＰＨＩＣＨの受信能力を効率的に改善することができると認められる。例えば、ＢＬＥＲ又はＢＥＲが計測されるとき、前記ＰＨＩＣＨの受信能力を改善するために、前記計測されたＢＥＲに基づいて、いくつかの動作がトリガされてもよい。
【００６３】
本発明の実施形態はまた、それに応じて、ネットワーク装置を提供し、図５ａに説明されるように、前記ネットワーク装置は、送信ユニット５０１及び計測ユニット５０２を含む。
【００６４】
前記送信ユニット５０１は、ＰＤＣＣＨを介して端末に送信制御情報を送信するか、又は、ＰＨＩＣＨを介して前記端末に送信指示情報を送信するように構成される。前記送信制御情報は、具体的には、アップリンク・スケジューリング・グラント情報又はダウンリンクリソース割り当て情報であってもよく、かつ、前記送信指示情報は、具体的にはＮＡＣＫメッセージ又はＡＣＫメッセージであってもよく、かつ、ここでは主にＮＡＣＫメッセージについて言及する。
【００６５】
前記計測ユニット５０２は、前記送信ユニット５０１によって送信された送信制御情報が、前記端末によって正確に受信されていないと決定するとともに、前記ＰＤＣＣＨの送信エラー情報を取得するか、又は、前記送信ユニット５０１によって送信された送信制御情報が、前記端末によって正確に受信されていないと決定するとともに、前記ＰＨＩＣＨの送信エラー情報を取得するように構成される。
【００６６】
ここで、前記ＰＤＣＣＨの送信エラー情報を取得するステップは、前記ＰＤＣＣＨのエラーデータブロックの数を１ずつ増加するステップと、前記ＰＤＣＣＨのエラーデータブロックの数に基づいて、前記ＰＤＣＣＨのＢＬＥＲを更新するステップとを含んでもよく、かつ、前記ＰＨＩＣＨの送信エラー情報を取得する前記ステップは、前記ＰＨＩＣＨのエラービットの数を１ずつ増加するステップと、前記ＰＨＩＣＨのエラービットの数に基づいて、前記ＰＨＩＣＨのＢＥＲを更新するステップとを含んでもよい。つまり、前記計測ユニットは、具体的には、前記送信制御情報が、前記端末によって正確に受信されていないということを決定し、かつ、前記ＰＤＣＣＨのエラーデータブロックの数を１ずつ増加し、かつ、前記ＰＤＣＣＨのエラーデータブロックの数に基づいて、前記ＰＤＣＣＨのＢＬＥＲを更新するように構成されるか、又は、前記送信指示情報が、前記端末によって正確に受信されていないということを決定し、かつ、前記ＰＨＩＣＨのエラービットの数を１ずつ増加し、かつ、前記ＰＨＩＣＨのエラービットの数に基づいて、前記ＰＨＩＣＨのＢＥＲを更新するように構成される。
【００６７】
ここで、前記ネットワーク装置は、異なる送信制御情報を計測する異なる方法を採用してもよく、つまり、前記送信ユニット５０１は、具体的には、前記ＰＤＣＣＨを介して、前記端末にアップリンク・スケジューリング・グラント情報を送信するように構成される。
【００６８】
その場合、前記送信ユニット５０１によって送信されるアップリンク・スケジューリング・グラント情報が、前記端末によって正確に受信されていないとき、前記計測ユニット５０２は、具体的には、ＰＵＳＣＨ・ＣＲＣエラーの数と、ＭＡＣ・ＬＣＩＤが予測されたＭＡＣ・ＬＣＩＤを満たさないときの数とに基づいて、前記ＰＤＣＣＨのＢＬＥＲを計測するように構成される。
【００６９】
例えば、前記送信ユニットによって送信されるアップリンク・スケジューリング・グラント情報が、前記端末によって正確に受信されていないとき、前記端末はＰＵＳＣＨを送信せず、かつその場合、前記ネットワーク装置は、前記端末に割り当てられているＰＵＳＣＨリソースとともに、ＣＲＣエラーを検出するはずであり、かつ、前記ＭＡＣ・ＬＣＩＤはこのとき、予測されたＭＡＣ・ＬＣＩＤに等しくない。そして、誤ったＰＵＳＣＨ・ＣＲＣが検出され、かつ、前記ＭＡＣ・ＬＣＩＤが前記予測されたＭＡＣ・ＬＣＩＤを満たさないとき、前記計測ユニット５０２は、具体的には、前記ＰＤＣＣＨの送信は誤りであるということを決定し、かつ、前記ＰＤＣＣＨの送信エラー情報を取得するように構成され、例えば、前記ＰＤＣＣＨのエラーデータブロックの数を１ずつ増加し、かつ、前記ＰＤＣＣＨのエラーデータブロックの数に基づいて、前記ＰＤＣＣＨのＢＬＥＲを更新するように構成される。
【００７０】
あるいは、前記送信ユニット５０１はまた、具体的には、ＰＤＣＣＨを介して、前記端末にダウンリンクリソース割り当て情報を送信するように構成される。
【００７１】
その場合、前記計測ユニット５０２は、具体的には、前記送信ユニット５０１によって送信されるダウンリンクリソース割り当て情報が端末によって正確に受信されていないとき、前記端末によって返信されるＤＴＸ情報に基づいて、前記ＰＤＣＣＨのＢＬＥＲを計測するように構成され、前記ＤＴＸ情報は、ＰＵＣＣＨ又はＰＵＳＣＨを介して、前記端末によって送信される。
【００７２】
例えば、送信ユニット５０１によって送信されるダウンリンクリソース割り当て情報が、前記端末によって正確に受信されていないとき、前記端末は、前記ＰＵＣＣＨにおいて、前記ネットワーク装置にＤＴＸ情報を返信する。前記ＤＴＸ情報を受信した後、前記ＰＤＣＣＨの送信は誤りであるということを前記計測ユニット５０２は決定し、かつ、次に前記ＰＤＣＣＨのエラーデータブロックの数を１ずつ増加するとともに、前記ＰＤＣＣＨのエラーデータブロックの数に基づいて、前記ＰＤＣＣＨのＢＬＥＲを更新してもよい。つまり、それは以下のようであってもよい。
【００７３】
図５ｂに説明されるように、前記計測ユニット５０２は、受信サブユニット５０２１及び計測サブユニット５０２２を含んでもよい。
【００７４】
前記受信サブユニット５０２１は、前記送信ユニット５０１によって送信されたダウンリンクリソース割り当て情報が、前記端末によって正確に受信されていないとき、前記端末によって送信された前記ＤＴＸ情報を受信するように構成される。
【００７５】
受信サブユニット５０２１が前記ＤＴＸ情報を受信するとき、前記計測サブユニット５０２２は、ＰＵＣＣＨ又はＰＵＳＣＨの、ＰＵＣＣＨ又はＰＵＳＣＨの送信が誤りであると決定し、かつ、前記ＰＤＣＣＨの送信エラー情報を取得するように構成される。例えば、前記ＰＤＣＣＨのエラーデータブロックの数は１ずつ増加させるとともに、前記ＰＤＣＣＨのエラーデータブロックの数に基づいて、前記ＰＤＣＣＨのＢＬＥＲが更新されてもよい。
【００７６】
ここで、前記受信サブユニット５０２１は、具体的には、ＰＵＣＣＨ又はＰＵＳＣＨについて、前記端末によって送信されたＤＴＸ情報を受信するように構成される。
【００７７】
あるいは、前記送信ユニット５０１はまた、具体的には、ＰＨＩＣＨを介して前記端末にＮＡＣＫメッセージを送信するように構成される。
【００７８】
その場合、前記計測ユニット５０２は、具体的には、前記送信ユニット５０１によって送信された前記ＮＡＣＫメッセージが端末によって正確に受信されていないとき、ＰＵＳＣＨ・ＣＲＣエラーの数と、前記ＭＡＣ・ＬＣＩＤが予測されたＭＡＣ・ＬＣＩＤを満たさないときの数とに基づいてＰＨＩＣＨのＢＥＲを計測するように構成される。
【００７９】
例えば、前記送信ユニット５０１によって送信されたＮＡＣＫメッセージが、前記端末によって正確に受信されていないとき、つまり、前記端末が受信されたＮＡＣＫメッセージをＡＣＫメッセージとして間違えるとき、対応するリソースとともにＰＵＳＣＨの再送をしない。その場合、前記ネットワーク装置は、誤ったＰＵＳＣＨ・ＣＲＣを検出し、かつ、前記ＭＡＣ・ＬＣＩＤは予測されたＭＡＣ・ＬＣＩＤを満たされない。そして、前記計測ユニット５０２は、具体的には、誤ったＰＵＳＣＨ・ＣＲＣが検出され、かつ、前記ＭＡＣ・ＬＣＩＤが予測されたＭＡＣ・ＬＣＩＤを満たさないとき、前記ＰＨＩＣＨの送信は誤りであることを決定するとともに、前記ＰＨＩＣＨの送信エラー情報を取得するように構成される。例えば、前記ＰＨＩＣＨのエラービットの数は１ずつ増加させてもよく、かつ、前記ＰＨＩＣＨのＢＥＲは、前記ＰＨＩＣＨのエラービットの数に基づいて更新させてもよい。
【００８０】
前記それぞれのユニットの実施形態については、前述した方法の実施形態を参照されたく、ここでは省略する。
【００８１】
前記ネットワーク装置は、具体的には、ｅＮｏｄｅＢ又は他の送信局であってもよい。
【００８２】
上記の内容から、実施形態における前記ネットワーク装置の前記計測ユニット５０２は、前記送信ユニット５０１によって送信された前記送信指示情報又は送信制御情報が、前記端末によって正確に受信されていないとき、前記ＰＤＣＣＨの送信エラー情報又は前記ＰＨＩＣＨの送信エラー情報を計測することにより、ＰＤＣＣＨ又はＰＤＣＣＨの受信能力を検出かつ監視し、その結果、ＰＤＣＣＨ又はＰＨＩＣＨの受信状態がタイムリーに取得され、続いてこれに基づいて、さらにＰＤＣＣＨ又はＰＨＩＣＨの受信能力を効率的に改善することができると認められる。例えば、ＢＬＥＲ又はＢＥＲが計測されるとき、前記ＰＤＣＣＨ又はＰＨＩＣＨの受信能力を改善するために、計測されたＢＬＥＲ又はＢＥＲに基づいて、いくつかの動作がトリガされてもよい。
【００８３】
当業者は、上記実施形態の全て又は一部の方法は、読み出し専用記憶装置（ＲＯＭ，Ｒｅａｄ  Ｏｎｌｙ  Ｍｅｍｏｒｙ）、ランダムアクセスメモリ（ＲＡＭ，Ｒａｎｄｏｍ  Ａｃｃｅｓｓ  Ｍｅｍｏｒｙ）、磁気ディスク、光ディスク等を含むコンピュータ可読記録媒体に記録されたプログラムを介して関連のあるハードウェアに命令することによって実施されることは十分に理解すべきである。
【００８４】
本発明の実施形態によって提供される送信エラー情報を計測する方法、及び、ネットワーク装置は、上記のように詳細に説明された。本発明の原理及び実施形態は、具体的な例を介して詳しく述べられた。上記実施形態の説明は、本発明の方法及びアイデアの理解を促すことのみに使用される。一方で、当業者は本発明のアイデアに基づいて、実施及び応用範囲を変えることができる。結果的に、本明細書の内容は、本発明に限定するものとして解釈されるべきではない。
【符号の説明】
【００８５】
５０１      送信ユニット
５０２      計測ユニット
５０２１    受信サブユニット
５０２２    計測サブユニット
【図１】
0005807314.tif 000002
【図２】
0005807314.tif 000003
【図３】
0005807314.tif 000004
【図４】
0005807314.tif 000005
【図５ａ】
0005807314.tif 000006
【図５ｂ】
0005807314.tif 000007